(57)【要約】【課題】  単体で記録再生装置として機能し、かつホスト機器に接続されてストレージ機器としても機能する記録再生装置において、ホスト機器からの接続が外された場合のシステムリードを適切なタイミングで実行する。【解決手段】  ＵＳＢ等の接続手段により記録再生装置がホスト機器（ＰＣ）に接続されて被接続機器モード（ストレージモード）として動作している状態から、接続状態が解消されたら、その接続状態の解消をトリガとして、単体機器モード（オーディオモード）として単体で動作する際に必要な管理情報の読み出し、即ちシステムリードを行う（Ｆ１０６→Ｆ１０７）。【選択図】  図７
2005302072.tif 000002
【特許請求の範囲】
【請求項１】
ホスト機器とデータ通信可能に接続する接続手段と、
記録媒体に対してデータの記録再生を行う記録再生手段と、
操作手段と、
上記接続手段により上記ホスト機器と接続されている場合は、被接続機器モードとして、上記ホスト機器からのコマンドに応じて上記記録再生手段でのデータ記録再生及び上記ホスト機器との通信処理を行い、上記接続手段が上記ホスト機器と接続されていない場合は、単体機器モードとして、上記操作手段の操作に応じて上記記録再生手段でのデータ記録再生を行う制御手段とを備えるとともに、
上記制御手段は、上記接続手段により上記ホスト機器と接続されて上記被接続機器モードとなっている際に上記接続手段での接続状態の解消を検出したら、上記単体機器モードの処理に必要な管理情報を上記記録媒体から読み出すように上記記録再生手段を制御することを特徴とする記録再生装置。
【請求項２】
接続手段によりホスト機器と接続されている場合は、被接続機器モードとして、上記ホスト機器からのコマンドに応じて記録媒体に対するデータ記録再生及び上記ホスト機器との通信処理を行うとともに、上記接続手段が上記ホスト機器と接続されていない場合は、単体機器モードとして、操作手段の操作に応じて記録媒体に対するデータ記録再生を行う記録再生装置における、上記記録媒体からの管理情報読出方法として、
上記被接続機器モードとして動作している際に、上記接続手段の接続状態を監視する監視ステップと、
上記監視ステップによって上記接続手段での接続状態の解消を検出することに応じて、上記単体機器モードの処理に必要な管理情報を記録媒体から読み出す管理情報読出ステップと、
を備えたことを特徴とする管理情報読出方法。
【発明の詳細な説明】
【技術分野】
【０００１】
本発明は、例えば光ディスク、光磁気ディスク等の記録媒体に対応して記録再生動作を行う記録再生装置と、その記録再生装置における記録媒体からの管理情報読出方法に関する。
【背景技術】
【０００２】
【特許文献１】特開２００３−１０００１８号公報
【０００３】
例えば、ＣＤ（Compact Disc）、ＭＤ（Mini Disc）、ＤＶＤ（Digital Versatile Disc）、ブルーレイディスク（Blu-Ray Disc）など、各種のディスクメディアが開発され、オーディオデータ、ビデオデータ、コンピュータユースのデータ等、各種データ記録再生システムで利用されている。
これらディスクメディアに対応する記録再生装置としては、例えば単体の機器として用いられ、ＣＤやＭＤ等に対してオーディオデータ等を記録再生する装置や、或いはコンピュータ周辺機器としてパーソナルコンピュータ等のホスト機器に接続され、ホスト機器からのコマンドに応じて各種データの記録再生を行うストレージ機器が知られている。
さらに、単体としてもコンピュータ周辺機器としても使用できる装置も開発されている。例えば上記特許文献１では、ＭＤを記録媒体とする記録再生装置として、単体でオーディオ記録再生装置として利用でき、さらにホスト機器と接続されることでデータストレージ機器として利用できる記録再生装置が開示されている。
【発明の開示】
【発明が解決しようとする課題】
【０００４】
ところで、ＣＤ、ＭＤ、ＤＶＤ等の可搬性ディスクメディアに対する記録再生装置では、ディスクが装填された際に、まずシステムリードと呼ばれる管理情報読出が行われる。管理情報とは、ディスク種別によって異なるが、データ管理のためのＴＯＣ、或いはＦＡＴ等のファイルシステムや、ディスクの物理情報、欠陥管理情報など、各種の情報があり、ディスクに対する記録再生のための予め読み込んでおく必要があるものである。
【０００５】
ここで上記のように単体では例えばオーディオ記録再生装置として機能し、またホスト機器に接続された場合はストレージ機器として機能する装置におけるシステムリードを考える。
ホスト機器としてのパーソナルコンピュータに接続されている場合、パーソナルコンピュータは記録再生装置に対して記録や再生のためのコマンドを発行し、記録再生装置に対してディスクに対する記録再生を実行させる。この場合、システムリードについても同様で、パーソナルコンピュータがディスクのファイルシステムを把握したり、書き込むべきアドレスを管理するため、コマンドを発行して必要な管理情報の読出をおこなう。つまり記録再生装置に対して所定のアドレスの情報（管理情報）の読出を要求し、記録再生装置は、その管理情報をディスクから読み出してパーソナルコンピュータに転送する。これによりパーソナルコンピュータがディスクの状況を把握できる。
一方、記録再生装置がホスト機器に接続されずに単体で用いられる際には、記録再生装置内部のコントローラが、ディスクの状況を管理情報を把握する必要があるため、システムリードとして、ディスクから管理情報を読み出し、記録再生装置内のメモリに格納する。
また、パーソナルコンピュータがシステムリードとして、データストレージ動作のために要求する管理情報と、記録再生装置のコントローラがシステムリードとして、オーディオデータの記録再生のために読み出す管理情報は異なる場合がある。
【０００６】
つまり、単体で記録再生装置として機能し、かつホスト機器に接続されてストレージ機器としても機能する装置の場合、ホスト機器との接続状況（接続されているか否か）により、システムリードとしての動作方式が異なる。
【０００７】
このような記録再生装置では、さらに、ホスト機器に接続されてストレージ機器としても機能している際に、接続が解消された場合（例えば接続ケーブル等が外された場合）を考慮しなければならない。
接続ケーブルをはずす状況をユーザーの視点で考えると、パーソナルコンピュータのストレージ用途を完了し、使用を終える場合か、或いはストレージ用途を終了させ、今度はオーディオ機器として利用したい場合があり得る。
そしてストレージ機器として利用していた記録再生装置をオーディオ機器として使用する状態に切り換える場合、記録再生装置のコントローラは、単体使用時のシステムリードを行う必要が生ずる。
【０００８】
この場合のシステムリードは、ユーザーが単体でオーディオ機器として使用する意志がある場合に必要となるものであるため、ユーザーの意志があらわれた時点で行う。具体的には、ユーザーが接続ケーブルを外した後、装置に形成されている操作キーにより、再生操作など何らかの操作を行うと、記録再生装置のコントローラは、それまでのストレージ用途から単体で使用される状態に切り換えられると認識して、この時点で単体使用時のシステムリードを行う。
ところがシステムリードは比較的時間のかかる処理である。このため、例えばユーザーがケーブルを外した後に再生操作を行って、それに応じてシステムリードを行うと、システムリードの完了してユーザの求めた再生を開始するまで、比較的長い時間がかかる。例えば数〜１０数秒程度かかることがある。このようにユーザーを待たせることは機器動作として適切とはいえない。
【課題を解決するための手段】
【０００９】
そこで本発明は、単体で記録再生装置として機能し、かつホスト機器に接続されてストレージ機器としても機能する記録再生装置において、ホスト機器からの接続が外された場合のシステムリードを、より適切なタイミングで実行するようにする。
【００１０】
本発明の記録再生装置は、ホスト機器とデータ通信可能に接続する接続手段と、記録媒体に対してデータの記録再生を行う記録再生手段と、操作手段と、上記接続手段により上記ホスト機器と接続されている場合は、被接続機器モードとして、上記ホスト機器からのコマンドに応じて上記記録再生手段でのデータ記録再生及び上記ホスト機器との通信処理を行い、上記接続手段が上記ホスト機器と接続されていない場合は、単体機器モードとして、上記操作手段の操作に応じて上記記録再生手段でのデータ記録再生を行う制御手段とを備える。そしてさらに上記制御手段は、上記接続手段により上記ホスト機器と接続されて上記被接続機器モードとなっている際に上記接続手段での接続状態の解消を検出したら、上記単体機器モードの処理に必要な管理情報を上記記録媒体から読み出すように上記記録再生手段を制御する。
【００１１】
また本発明は、接続手段によりホスト機器と接続されている場合は、被接続機器モードとして、上記ホスト機器からのコマンドに応じて記録媒体に対するデータ記録再生及び上記ホスト機器との通信処理を行うとともに、上記接続手段が上記ホスト機器と接続されていない場合は、単体機器モードとして、操作手段の操作に応じて記録媒体に対するデータ記録再生を行う記録再生装置における、上記記録媒体からの管理情報読出方法として、上記被接続機器モードとして動作している際に、上記接続手段の接続状態を監視する監視ステップと、上記監視ステップによって上記接続手段での接続状態の解消を検出することに応じて、上記単体機器モードの処理に必要な管理情報を記録媒体から読み出す管理情報読出ステップとを備える。
【００１２】
つまり本発明は、接続手段により記録再生装置がホスト機器に接続されて被接続機器モードとして動作している状態から、接続状態が解消されたら、その接続状態の解消をトリガとして、単体機器モードとして単体で動作する際に必要な管理情報の読み出し、即ちシステムリードを行う。
【発明の効果】
【００１３】
本発明によれば、記録再生装置がホスト機器に接続されて被接続機器モードとして動作している状態から接続状態が解消されたら、それは単体機器モードへの移行のタイミングと判断して、接続状態の解消をトリガとして単体機器モードで動作するために必要な管理情報の読み出し（システムリード）を行うようにしている。従ってその後ユーザーが、単体の動作のための操作、例えば再生操作等を行った時点では、既にシステムリードが完了しているか、或いは少なくともシステムリード実行中でありシステムリード完了まであと僅かな時間とすることができる。つまり単体機器として求められたユーザの操作に応じて迅速に必要な動作（例えば再生動作等）を開始できるという効果があり、機器性能が向上される。
【発明を実施するための最良の形態】
【００１４】
以下、本発明の実施の形態を、ＭＤ方式のディスクを記録媒体とする記録再生装置の例で説明する。
図１は、実施の形態としての記録再生装置１の内部構成例について示したブロック図である。
この実施の形態としての記録再生装置１は、一例として、磁界変調方式でデータ記録が行われる光磁気ディスクであるミニディスク（ＭＤ）方式のディスクに対する記録再生装置とする。但し、既に普及している音楽用途のミニディスクのみではなく、より高密度記録を可能とし、コンピュータユースの各種データのストレージに利用できる高密度ディスク（次世代ディスクとも言う）についても対応可能な記録再生装置である。
【００１５】
また、本例の記録再生装置１としては、例えばパーソナルコンピュータ５０等の外部の機器との間でデータ通信可能な機器とされる。
例えば記録再生装置１は、パーソナルコンピュータ５０とＵＳＢケーブル等の伝送路５１で接続されることで、パーソナルコンピュータ５０に対する外部ストレージ機器として機能できる。また、パーソナルコンピュータ５０を介したり、或いは直接ネットワークと接続できる機能を備えるなどしてネットワーク接続されることで、音楽や各種データをダウンロードし、記録再生装置１においてストレージ部２に装填されたディスクに保存できるものともなる。
【００１６】
一方、この記録再生装置１はパーソナルコンピュータ５０等に接続しなくとも、例えばオーディオ機器として機能する。例えば他のオーディオ機器等から入力された音楽データをディスクに記録したり、ディスクに記録された音楽データ等を再生出力することができる。
即ち本例の記録再生装置１は、パーソナルコンピュータ５０等に接続されることで汎用的なデータストレージ機器として利用でき、かつ単体ではオーディオ記録再生機器としても利用できる装置である。
なお説明上、パーソナルコンピュータ５０の被接続機器とされてデータ記録再生がおこなわれる動作状態を「ストレージモード」、パーソナルコンピュータ５０と接続されずに単体でオーディオ記録再生を行う動作状態を「オーディオモード」と呼ぶこととする。
【００１７】
ここで、本例の記録再生装置１の構成の説明に先立って、記録再生装置１が対応する、光磁気記録による次世代ディスクの概要について説明しておく。
先ず、このような次世代ディスクとしては、現行のパーソナルコンピュータとの親和性が図れるように、ファイル管理システムとしてＦＡＴ（File Allocation Table）システムを使って、オーディオデータのようなコンテンツデータを記録再生するものである。
また、現行のＭＤシステムに対して、エラー訂正方式や変調方式等の改善を行うことで、データの記録容量の増大を図るとともにデータの信頼性を高めているものである。
【００１８】
次世代ディスクの記録再生のフォーマットとしては、現在２種類の仕様が開発されている。説明上、これらを第１の次世代ＭＤ、第２の次世代ＭＤと呼ぶこととする。
第１の次世代ＭＤは、現行のＭＤシステムで用いられているディスクと全く同様のディスクを用いるようにした仕様であり、第２の次世代ＭＤは、現行のＭＤシステムで用いられているディスクと外形は同様であるが、磁気超解像（ＭＳＲ）技術を使うことにより、線記録方向の記録密度を上げて、記録容量をより増大した仕様である。
【００１９】
現行のＭＤシステム（オーディオ用ＭＤやＭＤ−ＤＡＴＡ）では、カートリッジに収納された直径６４ｍｍの光磁気ディスクが記録媒体として用いられている。ディスクの厚みは１．２ｍｍであり、その中央に１１ｍｍの径のセンターホールが設けられている。カートリッジの形状は、長さ６８ｍｍ、幅７２ｍｍ、厚さ５ｍｍである。
第１，第２の次世代ＭＤの仕様でも、これらディスクの形状やカートリッジの形状は、全て同じである。リードイン領域の開始位置についても、第１，第２の次世代ＭＤのディスクも、半径位置２９ｍｍから始まり、現行のＭＤシステムで使用されているディスクと同様である。
つまり、従来のＭＤシステムとの外形上での互換性が確保されているものである。
【００２０】
トラックピッチについては、第２の次世代ＭＤでは、１．２μｍから１．３μｍ（例えば１．２５μｍ）とすることが検討されている。これに対して、現行のＭＤシステムのディスクを流用する第１の次世代ＭＤでは、トラックピッチは１．６μｍとされている。ビット長は、第１の次世代ＭＤが０．４４μｍ／ビットとされ、第２の次世代ＭＤが０．１６μｍ／ビットとされる。冗長度は、第１，第２の次世代ＭＤともに、２０．５０％である。
【００２１】
第２の次世代ＭＤ仕様のディスクでは、磁気超解像技術を使うことにより、線密度方向の記録容量を向上するようにしている。磁気超解像技術は、所定の温度になると、切断層が磁気的にニュートラルな状態になり、記録層に転写されていた磁壁が転写されることで、微少なマークがビームスポットの中に見えるようになることを利用したものである。
具体的に、第２の次世代ＭＤ仕様のディスクでは、透明基板上に、少なくとも情報を記録する記録層となる磁性層と、切断層と、情報再生用の磁性層とが積層される。切断層は、交換結合力調整用層となる。所定の温度になると、切断層が磁気的にニュートラルな状態になり、記録層に転写されていた磁壁が再生用の磁性層に転写される。これにより、微少なマークがビームスポットの中に見えるようになる。なお、記録時には、レーザパルス磁界変調技術を使うことで、微少なマークを生成することができる。
【００２２】
また、第２の次世代ＭＤ仕様のディスクでは、デトラックマージン、ランドからのクロストーク、ウォブル信号のクロストーク、フォーカスの漏れを改善するために、グルーブを深くし、グルーブの傾斜を鋭くしている。即ち第２の次世代ＭＤ仕様のディスクでは、グルーブの深さは例えば１６０ｎｍから１８０ｎｍであり、グルーブの傾斜は例えば６０度から７０度であり、グルーブの幅は例えば６００ｎｍから７００ｎｍである。
光学的仕様については、第１の次世代ＭＤの仕様では、レーザ波長λが７８０ｎｍとされ、光学ヘッドの対物レンズの開口率ＮＡが０．４５とされている。第２の次世代ＭＤの仕様も同様に、レーザ波長λが７８０ｎｍとされ、光学ヘッドの開口率ＮＡが０．４５とされている。
また、記録方式としては、第１，第２の次世代ＭＤとも、グルーブ記録方式が採用されている。つまり、グルーブ（ディスクの盤面上の溝）をトラックとして記録再生に用いるようにしている。
【００２３】
さらに、エラー訂正符号化方式としては、現行のＭＤシステムでは、ＡＣＩＲＣ(Advanced Cross Interleave Reed-Solomon Code) による畳み込み符号が用いられていたが、第１，第２の次世代ＭＤの仕様では、ＲＳ−ＬＤＣ（Reed Solomon−Long Distance Code）とＢＩＳ（Burst Indicator Subcode）とを組み合わせたブロック完結型の符号が用いられている。
ブロック完結型のエラー訂正符号を採用することにより、リンキングセクタが不要になる。ＬＤＣとＢＩＳとを組み合わせたエラー訂正方式では、バーストエラーが発生したときに、ＢＩＳによりエラーロケーションが検出できる。このエラーロケーションを使って、ＬＤＣコードにより、イレージャ訂正を行うことができる。
【００２４】
アドレス方式としては、シングルスパイラルによるグルーブを形成したうえで、このグルーブの両側に対してアドレス情報としてのウォブルを形成したウォブルドグルーブ方式が採用されている。このようなアドレス方式は、ＡＤＩＰ（Address in Pregroove）と呼ばれている。
ＡＤＩＰの仕様については、現行のＭＤシステムと同様であるが、現行のＭＤシステムでは、２３５２バイトからなるセクターを記録再生のアクセス単位としているのに対して、第１，第２の次世代ＭＤの仕様では、６４Ｋバイトを記録再生のアクセス単位（レコーディングブロック）としている。
また、現行のＭＤシステムでは、エラー訂正符号としてＡＣＩＲＣと呼ばれる畳み込み符号が用いられているのに対して、第１，第２の次世代ＭＤの仕様では、ＬＤＣとＢＩＳとを組み合わせたブロック完結型の符号が用いられている。
そこで、現行のＭＤシステムのディスクを流用する第１の次世代ＭＤの仕様では、ＡＤＩＰ信号の扱いを、現行のＭＤシステムのときとは異なるようにしている。また、第２の次世代ＭＤでは、第２の次世代ＭＤの仕様により合致するように、ＡＤＩＰ信号の仕様に変更を加えている。
【００２５】
変調方式については、現行のＭＤシステムでは、ＥＦＭ(8 to 14 Modulation)が用いられているのに対して、第１，第２の次世代ＭＤの仕様では、ＲＬＬ（１，７）ＰＰ（ＲＬＬ;Run Length Limited ,ＰＰ;Parity Preserve/Prohibit rmtr(repeated minimum transition runlength))（以下、１−７ｐｐ変調と称する）が採用されている。また、データの検出方式は、第１の次世代ＭＤではパーシャルレスポンスＰＲ（１，２，１）ＭＬを用い、第２の次世代ＭＤではパーシャルレスポンスＰＲ（１，−１）ＭＬを用いたビタビ復号方式とされている。
【００２６】
また、ディスク駆動方式はＣＬＶ（Constant Linear Verocity）で、その線速度は、第１の次世代ＭＤの仕様では、２．７ｍ／秒とされ、第２の次世代ＭＤの仕様では、１．９８ｍ／秒とされる。なお、現行のＭＤシステムの仕様では、６０分ディスクで１．２ｍ／秒、７４分ディスクで１．４ｍ／秒とされている。
【００２７】
現行のＭＤシステムで用いられるディスクをそのまま流用する第１の次世代ＭＤの仕様では、ディスク１枚当たりのデータ総記録容量は約３００Ｍバイト（８０分ディスクを用いた場合）になる。変調方式がＥＦＭ変調から１−７ｐｐ変調とされることで、ウィンドウマージンが０．５から０．６６６となり、この点で、１．３３倍の高密度化が実現できる。
また、エラー訂正方式として、ＡＣＩＲＣ方式からＢＩＳとＬＤＣを組み合わせたものとしたことで、データ効率が上がり、この点で、１．４８倍の高密度化が実現できる。総合的には、全く同様のディスクを使って、現行のＭＤシステムに比べて、約２倍のデータ容量が実現されたことになる。
これに対し磁気超解像を利用した第２の次世代ＭＤの仕様のディスクでは、更に線密度方向の高密度化が図られ、データ総記録容量は、約１Ｇバイトになる。
なお、データレートは第１の次世代ＭＤでは４．４Ｍビット／秒であり、第２の次世代ＭＤでは、９．８Ｍビット／秒である。
【００２８】
図２（ａ）には、第１の次世代ＭＤのディスクの構成が示されている。
第１の次世代ＭＤのディスクは、現行のＭＤシステムのディスクをそのまま流用したものである。すなわち、透明のポリカーボネート基板上に、誘電体膜と、磁性膜と、誘電体膜と、反射膜とを積層して構成される。更に、その上に保護膜が積層される。
第１の次世代ＭＤのディスクでは、この図２（ａ）に示すようにディスクの内周のリードイン領域に、Ｐ−ＴＯＣ（プリマスタードＴＯＣ（Table Of Contents））領域が設けられる。ここは、物理的な構造としてはプリマスタード領域となり、エンボスピットによりコントロール情報等がＰ−ＴＯＣ情報として記録されていることになる。
【００２９】
そして、このようにＰ−ＴＯＣ領域が設けられるリードイン領域の外周は、レコーダブル領域（光磁気記録可能な領域）とされ、記録トラックの案内溝としてグルーブが形成された記録再生可能領域となっている。このレコーダブル領域の内周には、Ｕ−ＴＯＣ（ユーザーＴＯＣ）が設けられる。
この場合のＵ−ＴＯＣは、現行のＭＤシステムでディスクの管理情報を記録するために用いられているＵ−ＴＯＣと同様の構成のものである。確認のために述べておくと、Ｕ−ＴＯＣは、現行のＭＤシステムにおいては、トラック（オーディオトラック／データトラック）の曲順、記録、消去などに応じて書き換えられる管理情報であり、各トラック（トラックを構成するパーツ）について、開始位置、終了位置や、モードを管理するものである。
【００３０】
また、Ｕ−ＴＯＣの外周には、アラートトラックが設けられる。アラートトラックは、このディスクが第１の次世代ＭＤ方式で使用され、現行のＭＤシステムのプレーヤでは再生できないことを示す警告音が記録された警告トラックである。
【００３１】
図２（ｂ）には、第１の次世代ＭＤの仕様のディスクのレコーダブル領域の構成を示している。
この図２（ｂ）に示されるように、レコーダブル領域の先頭（内周側）には、Ｕ−ＴＯＣおよびアラートトラックが設けられる。Ｕ−ＴＯＣおよびアラートトラックが含まれる領域は、現行のＭＤシステムのプレーヤでも再生できるように、ＥＦＭでデータが変調されて記録される。
そして、このＥＦＭ変調でデータが変調されて記録される領域の外周には、次世代ＭＤ１方式の１−７ｐｐ変調によりデータが変調されて記録される領域が設けられる。ＥＦＭ変調によりデータが変調されて記録される領域と、１−７ｐｐ変調によりデータが変調されて記録される領域との間は所定の距離の間だけ離間されており、ガードバンドが設けられている。
このようなガードバンドが設けられるため、現行のＭＤプレーヤに第１の次世代ＭＤの仕様のディスクが装着されて、不具合が発生されることが防止される。
【００３２】
１−７ｐｐ変調によりデータが変調されて記録される領域の先頭（内周側）には、ＤＤＴ(Disc Description Table)領域と、セキュアトラックが設けられる。ＤＤＴ領域には、物理的に欠陥のあるセクタ（レコーディングブロック）に対する交替セクタ処理をするために設けられる。
ＤＤＴ領域には、さらに、ディスクＩＤが記録される。ディスクＩＤは、記録媒体毎に固有の識別コードであって、例えば所定に発生された乱数に基づく。
また、スクラッチパッドとしての領域や、ＳＲＢ（Serial Recording Bitmap）と呼ばれる、記録したクラスタに対応したビットを「１」とするビットマップが記録される。
セキュアトラックは、コンテンツの保護を図るための情報が格納される。
【００３３】
さらに、１−７ｐｐ変調でデータが変調されて記録される領域には、ＦＡＴ（File Allocation Table）領域が設けられる。このＦＡＴ領域は、ＦＡＴシステムでデータを管理するための領域である。
ＦＡＴシステムは、汎用のパーソナルコンピュータで使用されているＦＡＴシステムに準拠したデータ管理を行うものである。ＦＡＴシステムは、ルートにあるファイルやディレクトリのエントリポイントを示すディレクトリと、ＦＡＴクラスタの連結情報が記述されたＦＡＴテーブルとを用いて、ＦＡＴチェーンによりファイル管理を行うものである。
このような第１の次世代ＭＤの仕様のディスクにおいて、上記したＵ−ＴＯＣ領域には、アラートトラックの開始位置の情報と、１−７ｐｐ変調でデータが変調されて記録される領域の開始位置の情報が記録されるものとなる。
【００３４】
ここで、現行のＭＤシステムのプレーヤに、上記構成による第１の次世代ＭＤのディスクが装着されると、Ｕ−ＴＯＣ領域が読み取られ、Ｕ−ＴＯＣの情報から、アラートトラックの位置が分かり、アラートトラックがアクセスされ、アラートトラックの再生が開始される。アラートトラックには、このディスクが第１の次世代ＭＤ方式で使用され、現行のＭＤシステムのプレーヤでは再生できないことを示す警告音が記録されている。
この警告音から、このディスクが現行のＭＤシステムのプレーヤでは使用できないことが通知される。
なお、この場合の警告音としては、「このプレーヤでは使用できません」というような言語による警告とすることができる。勿論、ブザー音とするようにしても良い。
【００３５】
一方、第１の次世代ＭＤに準拠したプレーヤに対し、第１の次世代ＭＤのディスクが装着された場合、Ｕ−ＴＯＣ領域が読み取られ、Ｕ−ＴＯＣの情報から１−７ｐｐ変調でデータが記録された領域の開始位置が分かり、上記したＤＤＴ、セキュアトラック、ＦＡＴ領域が読み取られる。上述のように１−７ｐｐ変調のデータの領域では、Ｕ−ＴＯＣではなくＦＡＴシステムによるデータ管理が行われる。
【００３６】
続いて図３（ａ）には、第２の次世代ＭＤのディスクの構成を示す。
この場合もディスクは、透明のポリカーボネート基板上に誘電体膜、磁性膜、誘電体膜、反射膜、さらにその上層に保護膜を積層して成る。
そして、第２の次世代ＭＤのディスクの場合では、図示するようにディスクの内周のリードイン領域には、ＡＤＩＰ信号により、コントロール情報が記録されるものとなる。
第２の次世代ＭＤのディスクには、リードイン領域にはエンボスピットによるＰ−ＴＯＣは設けられておらず、その代わりに、ＡＤＩＰ信号によるコントロール情報が用いられる。リードイン領域の外周からレコーダブル領域が開始され、記録トラックの案内溝としてグルーブが形成された記録再生可能領域となっている。このレコーダブル領域には、１−７ｐｐ変調方式によりデータが変調されて記録される。
【００３７】
或るディスクが第１の次世代ＭＤであるか第２の次世代ＭＤであるかは、例えば、リードインの情報から判断できる。
すなわち、リードインにエンボスピットによるＰ−ＴＯＣが検出されれば、現行のＭＤまたは第１の次世代ＭＤのディスクであると判断できる。リードインにＡＤＩＰ信号によるコントロール情報が検出され、エンボスピットによるＰ−ＴＯＣが検出されなければ、第２の次世代ＭＤであると判断できる。
なお、第１、第２の次世代ＭＤの判別は、このような方法に限定されるものではない。オントラックのときとオフトラックのときとのトラッキングエラー信号の位相から判別することも可能である。勿論、カートリッジ等にディスク識別用の検出孔等を設けるようにしても良い。
【００３８】
第２の次世代ＭＤの仕様のディスクのレコーダブル領域の構成としては、図３（ｂ）に示すように、全て１−７ｐｐ変調方式によりデータが変調されて記録される領域が形成される。そして、この１−７ｐｐ変調方式によりデータが変調されて記録される領域の先頭（内周側）には、ＤＤＴ領域と、セキュアトラックが設けられる。
この場合も上記ＤＤＴ領域には、物理的に欠陥のあるセクタ（レコーディングブロック）に対する交替セクタ処理を行うための領域とされる。またＤＤＴ領域には、上述したディスクＩＤが記録される。また上述したスクラッチパッド領域やＳＲＢが設けられる。さらにセキュアトラックには、この場合もコンテンツの保護を図るための情報が格納される。
また、１−７ｐｐ変調でデータが変調されて記録される領域には、ＦＡＴ領域が設けられる。ＦＡＴ領域は、ＦＡＴシステムでデータを管理するための領域である。ＦＡＴシステムは、汎用のパーソナルコンピュータで使用されているＦＡＴシステムに準拠したデータ管理を行うものである。
【００３９】
そして、このような第２の次世代ＭＤのディスクにおいては、図からもわかるようにＵ−ＴＯＣ領域は設けられていない。つまり、第２の次世代ＭＤのディスクについては、次世代ＭＤに準拠したプレーヤのみでの使用が想定されているものである。
次世代ＭＤに準拠したプレーヤでは、第２の次世代ＭＤのディスクが装着されると、所定の位置にあるＤＤＴ、セキュアトラック、ＦＡＴ領域が読み取られ、ＦＡＴシステムを使ってデータの管理が行われることになる。
【００４０】
ＦＡＴシステムで管理され、図２（ｂ）、図３（ｂ）のデータ領域に記録されるデータとしては、データファイル、トラックインフォメーションファイル（ＴＩＦ）、鍵情報ファイル、ＭＡＣリストファイルなどがある。
データファイルは、例えばオーディオデータやコンピュータユースのデータなどのデータファイルである。
トラックインフォメーションファイル（ＴＩＦ）は、オーディオデータファイルに納められた音楽データを管理するための各種の情報が記述されたファイルである。トラックインフォメーションファイルには、楽曲の再生順を示すプレイオーダテーブル、ユーザーが指定した再生順を管理するプログラムドプレイオーダテーブル、楽曲のアルバム単位等のグループかを管理するグループインフォメーションテーブル、各トラック（楽曲）に関する情報が記述されるトラックインフォメーションテーブル、各トラックのパーツを管理するパーツインフォメーションテーブル、各トラックに付加される文字情報を管理するネームテーブルを有する。
鍵情報ファイルは、暗号化方式における鍵のバージョン情報を示すデータが記述される。
ＭＡＣリストファイルは、改竄チェックのためのＭＡＣ値が記述される。
【００４１】
ここまで説明してきたような次世代ディスクに対応するために、図１に示す本例の記録再生装置１では、ストレージ部２として、図４に示す構成のストレージ部を備えて、データの記録・再生を行うものとされる。
図４において、このストレージ部２では、装填されたディスク４０をスピンドルモータ２９によってＣＬＶ方式で回転駆動させる。そして、このディスク４０に対しては記録／再生時に光学ヘッド１９によってレーザ光が照射される。
なお、この場合、ディスク４０としては、現行のＭＤ仕様のディスクと、第１の次世代ＭＤの仕様のディスクと、第２の次世代ＭＤの仕様のディスクとが装着される可能性があることから、これらのディスクにより線速度が異なるものとなる。
このため、スピンドルモータ２９は、装填されたディスク４０の別に応じた異なる線速度に対応して回転されることになる。
【００４２】
光学ヘッド１９は、記録時には記録トラックをキュリー温度まで加熱するための高レベルのレーザ出力を行い、また再生時には磁気カー効果により反射光からデータを検出するための比較的低レベルのレーザ出力を行う。このため、光学ヘッド１９には、図示は省略するがレーザ出力手段としてのレーザダイオード、偏光ビームスプリッタや対物レンズ等からなる光学系、及び反射光を検出するためのディテクタが搭載されている。光学ヘッド１９に備えられる対物レンズとしては、例えば２軸機構によってディスク半径方向及びディスクに接離する方向に変位可能に保持されている。
【００４３】
また、ディスク４０を挟んで光学ヘッド１９と対向する位置には磁気ヘッド１８が配置されている。磁気ヘッド１８は記録データによって変調された磁界をディスク４０に印加する動作を行う。
また、図示しないが光学ヘッド１９全体及び磁気ヘッド１８をディスク半径方向に移動させためスレッドモータ及びスレッド機構が備えられている。
光学ヘッド１９および磁気ヘッド１８は、第２の次世代ＭＤのディスクの場合には、パルス駆動磁界変調を行うことで、微少なマークを形成することができる。現行ＭＤのディスクや、第１の次世代ＭＤのディスクの場合には、磁界変調方式とされる。
【００４４】
また、このストレージ部２では、光学ヘッド１９、磁気ヘッド１８による記録再生ヘッド系、スピンドルモータ２９によるディスク回転駆動系のほかに、記録処理系、再生処理系、サーボ系等が設けられる。
【００４５】
記録処理系では、現行のＭＤシステムのディスクの場合において、オーディオトラックの記録時に、ＡＣＩＲＣでエラー訂正符号化を行い、ＥＦＭで変調してデータを記録する部位と、第１，第２の次世代ＭＤの場合に、ＢＩＳとＬＤＣを組み合わせた方式でエラー訂正符号化を行い、１−７ｐｐ変調により変調して記録する部位が設けられる。
再生処理系では、現行のＭＤシステムのディスクの再生時に、ＥＦＭの復調とＡＣＩＲＣによるエラー訂正処理と、第１，第２の次世代ＭＤシステムのディスクの再生時に、パーシャルレスポンスおよびビタビ復号を用いたデータ検出に基づく１−７ｐｐ復調と、ＢＩＳとＬＤＣによるエラー訂正処理とを行う部位が設けられる。
また、現行のＭＤシステムや第１の次世代ＭＤのＡＤＩＰ信号よるアドレスをデコードする部位と、第２の次世代ＭＤのＡＤＩＰ信号をデコードする部位とが設けられる。
【００４６】
光学ヘッド１９のディスク４０に対するレーザ照射によりその反射光として検出された情報（フォトディテクタによりレーザ反射光を検出して得られる光電流）は、ＲＦアンプ２１に供給される。
ＲＦアンプ２１では入力された検出情報に対して電流−電圧変換、増幅、マトリクス演算等を行い、再生情報としての再生ＲＦ信号、トラッキングエラー信号ＴＥ、フォーカスエラー信号ＦＥ、グルーブ情報（ディスク４０にトラックのウォブリングにより記録されているＡＤＩＰ情報）等を抽出する。
【００４７】
現行のＭＤシステムのディスクを再生するときには、ＲＦアンプで得られた再生ＲＦ信号は、ＥＦＭ復調部２４およびＡＣＩＲＣデコーダ２５で処理される。
すなわち再生ＲＦ信号は、ＥＦＭ復調部２４で２値化されてＥＦＭ信号列とされた後、ＥＦＭ復調され、更にＡＣＩＲＣデコーダ２５で誤り訂正およびデインターリーブ処理される。つまりこの時点でＡＴＲＡＣ圧縮データの状態となる。
そして現行のＭＤシステムのディスクの再生時には、セレクタ２６はＢ接点側が選択されており、その復調されたＡＴＲＡＣ圧縮データがディスク４０からの再生データとして出力される。
【００４８】
一方、第１，第２の次世代ＭＤのディスクを再生するときには、ＲＦアンプ２１で得られた再生ＲＦ信号は、ＲＬＬ（１−７）ＰＰ復調部２２およびＲＳ−ＬＤＣデコーダ２５で処理される。すなわち再生ＲＦ信号は、ＲＬＬ（１−７）ＰＰ復調部２２において、ＰＲ（１，２，１）ＭＬまたはＰＲ（１，−１）ＭＬおよびビタビ復号を用いたデータ検出によりＲＬＬ（１−７）符号列としての再生データを得、このＲＬＬ（１−７）符号列に対してＲＬＬ（１−７）復調処理が行われる。そして更にＲＳ−ＬＤＣデコーダ２３で誤り訂正、及びデインターリーブ処理される。
そして、第１，第２の次世代ＭＤのディスクの再生時には、セレクタ２６はＡ接点側が選択されており、その復調されたデータがディスク４０からの再生データとして出力される。
【００４９】
ＲＦアンプ２１から出力されるトラッキングエラー信号、フォーカスエラー信号はサーボ回路２７に供給され、グルーブ情報はＡＤＩＰ復調部３０に供給される。
ＡＤＩＰ復調部３０は、グルーブ情報に対してバンドパスフィルタにより帯域制限してウォブル成分を抽出した後、ＦＭ復調、バイフェーズ復調を行ってＡＤＩＰ信号を復調する。
そして、このように復調された、ディスク上の絶対アドレス情報であるＡＤＩＰアドレスは、図１に示されるシステムコントローラ８に供給される。システムコントローラ８ではＡＤＩＰアドレスに基づいて所要の制御処理を実行する。
またグルーブ情報はスピンドルサーボ制御のためにサーボ回路２７に供給される。
【００５０】
サーボ回路２７は、例えばグルーブ情報に対して再生クロック（デコード時のＰＬＬ系クロック）との位相誤差を積分して得られる誤差信号に基づき、ＣＬＶサーボ制御のためのスピンドルエラー信号を生成する。
またサーボ回路２７は、スピンドルエラー信号や、ＲＦアンプ２１から供給されたトラッキングエラー信号、フォーカスエラー信号、あるいはシステムコントローラ８からのトラックジャンプ指令、アクセス指令等に基づいて各種サーボ制御信号（トラッキング制御信号、フォーカス制御信号、スレッド制御信号、スピンドル制御信号等）を生成し、モータドライバ２８に対して出力する。すなわち上記サーボエラー信号や指令に対して位相補償処理、ゲイン処理、目標値設定処理等の必要処理を行って各種サーボ制御信号を生成する。
【００５１】
モータドライバ２８では、サーボ回路２７から供給されたサーボ制御信号に基づいて所要のサーボドライブ信号を生成する。ここでのサーボドライブ信号としては、二軸機構を駆動する二軸ドライブ信号（フォーカス方向、トラッキング方向の２種）、スレッド機構を駆動するスレッドモータ駆動信号、スピンドルモータ２９を駆動するスピンドルモータ駆動信号となる。
このようなサーボドライブ信号により、ディスク４０に対するフォーカス制御、トラッキング制御、およびスピンドルモータ２９に対するＣＬＶ制御が行われることになる。
【００５２】
現行のＭＤシステムのディスクでオーディオデータを記録するときには、セレクタ１６がＢ接点に接続され、したがってＡＣＩＲＣエンコーダ１４およびＥＦＭ変調部１５が機能することになる。
この場合、記録データとして図１に示されるキャッシュメモリ３から供給される圧縮データは、ＡＣＩＲＣエンコーダ１４でインターリーブおよびエラー訂正コード付加が行われた後、ＥＦＭ変調部１５でＥＦＭ変調が行われる。
そして、ＥＦＭ変調データがセレクタ１６を介して磁気ヘッドドライバ１７に供給され、磁気ヘッド１８がディスク４０に対してＥＦＭ変調データに基づいた磁界印加を行うことでオーディオトラックの記録が行われる。
【００５３】
これに対し、第１の次世代ＭＤまたは第２の次世代ＭＤ２ディスクにデータを記録する時には、セレクタ１６がＡ接点に接続され、ＲＳ−ＬＤＣエンコーダ１２およびＲＬＬ（１−７）ＰＰ変調部１３が機能することになる。この場合、キャッシュメモリ３からの高密度データは、ＲＳ−ＬＤＣエンコーダ１２でインターリーブおよびＲＳ−ＬＤＣ方式のエラー訂正コード付加が行われた後、ＲＬＬ（１−７）ＰＰ変調部１３でＲＬＬ（１−７）変調が行われる。
そして、ＲＬＬ（１−７）符号列としての記録データがセレクタ１６を介して磁気ヘッドドライバ１７に供給され、磁気ヘッド１８がディスク４０に対して変調データに基づいた磁界印加を行うことでデータトラックの記録が行われる。
【００５４】
レーザドライバ／ＡＰＣ２０は、上記のような再生時および記録時においてレーザダイオードにレーザ発光動作を実行させるが、いわゆるＡＰＣ（Automatic Lazer Power Control）動作も行う。
つまり、図示していないが、光学ヘッド１９内にはレーザパワーモニタ用のディテクタが設けられ、そのモニタ信号がレーザドライバ／ＡＰＣ２０にフィードバックされる。レーザドライバ／ＡＰＣ２０は、モニタ信号として得られる現在のレーザパワーを、設定されているレーザパワーと比較して、その誤差分をレーザ駆動信号に反映させることで、レーザダイオードから出力されるレーザパワーが、設定値で安定するように制御している。
なお、レーザパワーとしては、再生レーザパワー、記録レーザパワーとしての値がシステムコントローラ８によって、レーザドライバ／ＡＰＣ２０内部のレジスタにセットされる。
【００５５】
以上の各動作（アクセス、各種サーボ、データ書込、データ読出の各動作）は、図１に示されるシステムコントローラ８からの指示に基づいて実行されるものとなる。
【００５６】
説明を図１に戻し、本例の記録再生装置１内部の全体構成について説明する。
図１において、キャッシュメモリ３は、上記構成によるストレージ部２によりディスク４０に記録するデータ、或いはストレージ部２によってディスク４０から読み出されたデータについてのバッファリングを行うキャッシュメモリであり、例えばＤ−ＲＡＭより構成される。
キャッシュメモリ３へのデータの書込／読出は、システムコントローラ（ＣＰＵ）８において起動されるタスクによって制御される。
【００５７】
ＵＳＢインタフェース４は、ホスト機器として接続された例えばパーソナルコンピュータ５０とＵＳＢケーブルとしての伝送路５１で接続された際の、データ伝送のための処理を行う。
システムコントローラ８は、ＵＳＢインターフェース４を介してパーソナルコンピュータ５０からのコマンドを受信し、またコマンドに対する返信や、コマンドに応じたデータ伝送を行う。
例えばパーソナルコンピュータ５０からアドレス及びデータ長を指定して再生コマンドが送信されると、システムコントローラ８はＵＳＢインターフェース４を介してそのコマンドを受け取る。そしてコマンド内容に応じてストレージ部２を制御し、必要とされるデータを再生させる。再生データはキャッシュメモリ３を介してＵＳＢインターフェース４を介に受け渡され、伝送路５１によりパーソナルコンピュータ５０に送信される。
またパーソナルコンピュータ５０からアドレス及びデータ長を指定して記録コマンドが送信されると、システムコントローラ８はＵＳＢインターフェース４を介してそのコマンドを受け取る。さらにパーソナルコンピュータ５０から送信されてくる記録データもＵＳＢインターフェース４で受信される。システムコントローラ８はＵＳＢインターフェース４で受信された記録データをキャッシュメモリ３を介してストレージ部２に転送させていくと共に、ストレージ部２に対して指定されたアドレスからディスク４０への記録を実行させる。
【００５８】
入出力処理部５は、例えば記録再生装置１が単体でオーディオ機器として機能する場合に記録再生データの入出力のための処理を行う。
この入出力処理部５は、例えば入力系として、ライン入力回路／マイクロホン入力回路等のアナログ音声信号入力部、Ａ／Ｄ変換器や、デジタルオーディオデータ入力部を備える。またＡＴＲＡＣ圧縮エンコーダ／デコーダを備える。ＡＴＲＡＣ圧縮エンコーダ／デコーダは、ＡＴＲＡＣ方式によるオーディオデータの圧縮／伸長処理を実行するための回路である。なお、もちろんのこと、本実施の形態の記録再生装置としては、例えばＭＰ３などの他のフォーマットによる圧縮オーディオデータが記録再生可能な構成を採ってもよく、この場合には、これらの圧縮オーディオデータのフォーマットに対応したエンコーダ／デコーダを備えればよい。
また、本実施の形態としては、ビデオデータに関しては特に記録再生可能なフォーマットの限定は行わないが、例えばＭＰＥＧ４などが考えられる。そして、入出力処理部５としては、このようなフォーマットに対応したエンコーダ／デコーダを備えればよいこととなる。
さらに入出力処理部５は、出力系として、デジタルオーディオデータ出力部や、Ｄ／Ａ変換器及びライン出力回路／ヘッドホン出力回路等のアナログ音声信号出力部を備える。
【００５９】
そして、この場合の入出力処理部５内には、暗号処理部（図示せず）が備えられる。暗号処理部においては、例えばディスクに記録すべきＡＶデータについて、所定のアルゴリズムによる暗号化処理を施すようにされる。また、例えばディスクから読み出されたＡＶデータについて暗号化が施されている場合には、必要に応じて暗号解読のための復号処理を実行するようにもされている。
【００６０】
入出力処理部５を介した処理として、ディスクにオーディオデータが記録されるのは、例えば入力ＴINとして入出力処理部５にデジタルオーディオデータ（又はアナログ音声信号）が入力される場合である。入力されたリニアＰＣＭデジタルオーディオデータ、或いはアナログ音声信号で入力されＡ／Ｄ変換器で変換されて得られたリニアＰＣＭオーディオデータは、必要に応じてＡＴＲＡＣ圧縮エンコードされてキャッシュメモリ３に蓄積される。そして所定タイミング（ＡＤＩＰクラスタ相当のデータ単位）でキャッシュメモリ３から読み出されてストレージ部２に転送される。ストレージ部２では、転送されてくる圧縮データを所定の変調方式で変調してディスクに記録する。
【００６１】
ディスクからミニディスク方式のオーディオデータが再生される場合は、ストレージ部２は再生データをＡＴＲＡＣ圧縮データ状態に復調してキャッシュメモリ３に転送する。そしてキャッシュメモリ３から読み出されて入出力処理部５に転送される。入出力処理部５は、供給されてくる圧縮オーディオデータに対してＡＴＲＡＣ圧縮デコードを行ってリニアＰＣＭオーディオデータとし、デジタルオーディオデータ出力部から出力する。或いはＤ／Ａ変換器によりアナログ音声信号としてライン出力／ヘッドホン出力を行う。
【００６２】
システムコントローラ８は、記録再生装置１内の全体の制御を行うと共に、接続されたパーソナルコンピュータ５０との間の通信制御を行う。
図示するＲＯＭ８ａには、システムコントローラ８の動作プログラムや固定パラメータ等が記憶される。
またＲＡＭ８ｂは、システムコントローラ８によるワーク領域として用いられ、また各種必要な情報の格納領域とされる。
例えばストレージ部２によってディスク４０から読み出された各種管理情報や特殊情報、例えば上述したＰ−ＴＯＣデータ、Ｕ−ＴＯＣデータ、ＦＡＴデータ等、楽曲トラックの管理情報については、キャッシュメモリ３に取り込まれるが、システムコントローラ８は、それらの管理情報の内、必要な情報をＲＡＭ８ｂに取り込んで処理することが行われる。
キャッシュ管理メモリ９は、例えばＳ−ＲＡＭで構成され、キャッシュメモリ３の状態を管理する情報が格納される。システムコントローラ８はキャッシュ管理メモリ９を参照しながらデータキャッシュ処理の制御を行う。
【００６３】
表示部６は、システムコントローラ８の制御に基づいて、ユーザーに対して提示すべき各種情報の表示を行う。例えば動作状態、モード状態、楽曲等の名称などの文字データ、トラックナンバー、時間情報、その他の情報表示を行う。
また、本例において、例えばディスク４０が次世代ディスクである場合には、このディスク４０に対し楽曲データに対応づけて画像データが記憶されていることが想定されているが、表示部６は、ディスク４０のロード時や再生時等においてシステムコントローラ８の制御に基づき、このように対応づけられた画像データの表示を行うようにすることも考えられる。
【００６４】
操作部７には、ユーザーの操作のための各種操作子として、各種操作ボタンやジョグダイヤルなどが形成される。ユーザーは、この操作部７に対する操作により記録再生装置１に対する所要の動作指示を行う。システムコントローラ８は操作部７によって入力された操作情報に基づいて所定の制御処理を行う。
【００６５】
なお、これまでに説明した記録再生装置１の構成はあくまでも一例であり、例えば入出力処理部５は、オーディオデータだけでなく、ビデオデータに対応する入出力処理系を備えるようにしてもよい。
また、パーソナルコンピュータ５０との接続はＵＳＢでなく、ＩＥＥＥ１３９４等の他の外部インタフェースが用いられても良い。
また、操作部７としては、リモートコントローラ上に先に例示したものと同様の操作子を備えるようにすることも可能である。
【００６６】
本例の記録再生装置１では、図１，図４で説明した構成において、システムコントローラ８の制御により所要の動作が実行される。上述した各種動作のため、システムコントローラ８では、図５に示すように各種タスクが実行される。即ちシステムコントローラ８は、図５の各種タスクを実行する機能ブロックがソフトウエアにより構成されている。
【００６７】
システムモードタスクは、記録再生装置１の動作モードを管理する機能である。上述したように記録再生装置１は、パーソナルコンピュータ５０と接続されたストレージモードとしての動作と、単体でのオーディオモードとしての動作が行われる。システムモードタスクは、これら各モード状態の管理や、各モード状態でのシステム動作の制御を行う。
キャッシュ管理タスクは、キャッシュメモリ３の書込／読出動作制御、書込／読出のアドレス設定、記憶状況管理等を行う機能である。
ディスクアクセスタスクは、ストレージ部２に対する各種制御、即ち、ディスク４０に対するデータ書込、データ読出、起動、停止、アクセス、サーボ等、キャッシュメモリ３との間のデータ転送等の動作を制御する機能である。
オーディオ入出力タスクは、入出力処理部５の動作、即ち入力データのエンコード、暗号化、出力データのデコード、復号、キャッシュメモリ３との間のデータ転送等の動作を制御する機能である。
ＵＳＢタスクは、ＵＳＢインターフェース４を介しての、パーソナルコンピュータ或いはネットワーク等との各種通信を実行したりデータ転送を制御する機能である。
電源管理タスクは、記録再生装置の電源管理を行う機能である。
ユーザーインターフェースタスクは、操作部７によるユーザー操作入力の検知や、表示部６の表示制御を行う機能である。
例えば以上のように各種タスクの機能が実行されることで、記録再生動作、表示動作、通信動作などが実行される。
【００６８】
また、システムコントローラ８は、装填されているディスク４０に対してシステムリードと呼ばれる処理を行う。システムリードとは、ディスク４０の管理情報、即ちＦＡＴ、ＴＩＦ（トラックインフォメーションファイル）、ＴＯＣが存在するディスクではＴＯＣ等の管理情報を読み込む動作である。
ただし、このシステムリードは、ストレージモードの場合とオーディオモードの場合とで動作方式が異なる。
各モードでのシステムリードを図６で説明する。
【００６９】
図６には、システムリードの対象となる管理情報を中央に例示し、図面左側にストレージモードでのシステムリード、図面右側にオーディオモードでのシステムリードを模式的に示した。
システムリードの対象となる管理情報としては、図２，図３で述べたように、主にディスク内周側の所定位置に記録されているディスクＩＤ、ＤＤＴ、ＳＲＢがある。
また、ＦＡＴ領域に記録される情報として、ＢＰＢ，ＦＡＴ１、ＦＡＴ２、RooT DIR（ルートディレクトリ）がある。ＢＰＢ（Bios Parameter Block）はセクタ、クラスタ、ＦＡＴなどのディスクフォーマットに関わる規格を記載したデータテーブルである。
さらに、データ領域に記録される情報として上述したトラックインフォメーションファイル（ＴＩＦ）がある。
【００７０】
ストレージモードの場合、パーソナルコンピュータ５０からのコマンドに基づいてシステムリードが行われる。即ち、パーソナルコンピュータ５０は、システムリード対象として少なくともＦＡＴ領域のＢＰＢ，ＦＡＴ１、ＦＡＴ２、RooT DIRを要求するものであり、このためＦＡＴ領域のアドレス（クラスタ・セクタ・バイトアドレス）を指定してリードコマンドを発行する。
システムコントローラ８は、このシステムリードとしてのリードコマンドに応じて、ストレージ部２に指定されたアドレスの再生を実行させる。そして再生されたデータ、即ち、ＢＰＢ，ＦＡＴ１、ＦＡＴ２、RooT DIRを、キャッシュメモリ３を介してＵＳＢインターフェース４に受け渡し、パーソナルコンピュータ５０に転送させる。
この場合、キャッシュメモリ３にはシステムリード内容は保存されない。
【００７１】
一方オーディオモードの場合のシステムリードでは、システムコントローラ８が、ディスク４０の記録再生のために必要な情報として、ディスクＩＤ、ＤＤＴ、ＳＲＢ、ＢＰＢ，ＦＡＴ１、ＦＡＴ２、RooT DIR、トラックインフォメーションファイル（ＴＩＦ）を読み出す。
これらの管理情報を保存する領域をキャッシュメモリ３において確保し、ストレージ部２を制御して、これらの管理情報を再生させ、キャッシュメモリ３に保存する。
キャッシュメモリ３においては、ディスクＩＤ、ＤＤＴ、ＳＲＢ、ＢＰＢ，ＦＡＴ１、ＦＡＴ２、RooT DIR、トラックインフォメーションファイル（ＴＩＦ）を保存した領域はシステムコントローラ８が随時参照する領域とされる。
またキャッシュメモリ３にはワークエリアも確保され、システムコントローラ８が所定の処理を実行するためのワーク領域として用いられる。
これら以外の領域が、データキャッシュエリアとされ、記録再生時のオーディオデータ等のバッファリングに用いられることになる。
【００７２】
本例の記録再生装置１においては、このように動作モード状態に応じたシステムリードが行われるが、そのシステムリードに関するシステムコントローラ８の処理を図７に示す。
ステップＦ１０１で記録再生装置１が電源オンとされると、システムコントローラ８はステップＦ１０２で、ＵＳＢインターフェース４がパーソナルコンピュータ５０と接続されているか否かを判別する。
接続されていなければ、オーディオモードとして立ち上げを行うことになり、ステップＦ１０２からＦ１０７に進んで、オーディオモードの初期設定や、上記したオーディオモード時のシステムリードを実行する。そして初期処理が完了したらユーザーの操作を待機する。なお、例えば再生キーや録音キー等が電源キーを兼ねているような場合、ステップＦ１０７の初期処理を終えたら、それらの操作に応じた動作を開始させる。
【００７３】
ステップＦ１０２でパーソナルコンピュータ５０が接続されていると判別された場合は、ステップＦ１０３に進んで、ストレージモードでの初期設定を行う。
そしてステップＦ１０４でパーソナルコンピュータ５０からのコマンド受信が検知されたら、それに応じてステップＦ１０５でコマンドに対応する処理を行う。
ストレージモードでのシステムリードは、上記したようにコマンドにより行われる。即ちパーソナルコンピュータ５０がＦＡＴ情報を要求することに応じて、ステップＦ１０５のコマンド対応処理で、ＦＡＴ情報等が読み出され、パーソナルコンピュータ５０に転送されてシステムリードが行われることになる。
またシステムコントローラ８は、パーソナルコンピュータ５０から、リードコマンドやライトコマンドが送信されてきたら、それらに応じてステップＦ１０４からＦ１０５に進み、再生動作や記録動作の制御を行うことになる。
システムコントローラ８は、ストレージモードの間は、ステップＦ１０６でＵＳＢ引き抜き、つまりＵＳＢインターフェース４による接続が解消されることを監視しながら、ステップＦ１０４，Ｆ１０５でのコマンド対応処理を行っていく。
【００７４】
ある時点でＵＳＢケーブルが引き抜かれ、それがステップＦ１０６で検出されたら、システムコントローラ８の処理はステップＦ１０７に進み、即座にオーディオモードとしての初期設定及びシステムリードを実行することになる。そしてシステムリードを完了したら、ユーザーの操作を待機する。
【００７５】
つまり本例は、システムコントローラ８は、ＵＳＢインターフェース４により記録再生装置１がパーソナルコンピュータ５０に接続されてストレージモードとして動作している状態にあるときに、ＵＳＢケーブル（伝送路５１）が引き抜かれてＵＳＢ接続が解消されたら、その接続状態の解消をトリガとして、オーディオモードとして単体で動作する際に必要な管理情報の読み出し、即ちシステムリードを行う。
従ってその後ユーザーが、単体のオーディオモード動作のための操作、例えば再生操作等を行った時点では、既にオーディオモードでのシステムリードが完了しているか、或いは少なくともシステムリード実行中でありシステムリード完了まであと僅かな時間とすることができる。このため、即座に、もしくは僅かな時間をもってユーザの操作に応じた動作を開始させることができるようになる。これにより、ユーザーの操作に対して応答の良い装置とすることができる。
【００７６】
なお、本例としては、単体ではオーディオ機器として用いられるとしたが、単体でビデオ機器その他として用いられる記録再生装置も当然考えられる。その場合も、ＵＳＢ等の接続状態の解消をトリガとしてシステムリードが行われればよい。
また、本例では、本発明の記録再生装置がＭＤに対応した構成に適用される場合を例に挙げたが、他の種の記憶媒体に対応する記録再生装置において本発明は適用できる。
【図面の簡単な説明】
【００７７】
【図１】本発明の実施の形態の記録再生装置のブロック図である。
【図２】実施の形態の記録再生装置が対応するディスクの説明図である。
【図３】実施の形態の記録再生装置が対応するディスクの説明図である。
【図４】実施の形態の記録再生装置のストレージ部のブロック図である。
【図５】実施の形態のシステムコントローラのタスクの説明図である。
【図６】ストレージモードとオーディオモードのシステムリードの説明図である。
【図７】実施の形態のシステムリードに関する処理のフローチャートである。
【符号の説明】
【００７８】
１  記録再生装置、２  ストレージ部、３  キャッシュメモリ、４  ＵＳＢインタフェース、５  入出力処理部、６  表示部、７  操作部、８  システムコントローラ、８ａ  ＲＯＭ、８ｂ  ＲＡＭ、９  キャッシュ管理メモリ、５０  パーソナルコンピュータ
【図１】
2005302072.tif 000003
【図２】
2005302072.tif 000004
【図３】
2005302072.tif 000005
【図４】
2005302072.tif 000006
【図５】
2005302072.tif 000007
【図６】
2005302072.tif 000008
【図７】
2005302072.tif 000009